(57)【要約】【課題】車両重量によるブロックの不陸が発生するのを防止し，長期に安定した耐久性を確保し得る緑化駐車場を提供する。【解決手段】幅広のベースプレート１を低発泡合成樹脂で一体成形し，これを駐車場のスペースに合せて掘下地面３に連結した状態で一面に敷設し，その２段２列に配置したブロック嵌合部１２にレンガブロック２の下部を嵌め込むことによってレンガブロック２の配列とその間に芝の植栽部１３を形成し，この植栽部１３に土壌を充填して芝を植栽することによって緑化駐車場を形成する。レンガブロック２は連結されたベースプレート１に嵌合支持されるのでタイヤの切替し等の荷重を受けても浮いたりすることがなく，レンガブロック２の不陸発生が防止される。【選択図】        図３
2004293175.tif 000002
【特許請求の範囲】
【請求項１】
外側面に配置した隣接相互に連結自在の連結部と，平面複数箇所を部分的に凹陥することによってブロック下部を嵌合受入自在としたブロック嵌合部と，該ブロック嵌合部を囲繞するようにブロック嵌合部間で幅Ｌとしブロック嵌合部の外側で幅１／２Ｌとした植栽部と，上記ブロック嵌合部及び植栽部の底面にそれぞれ配置した排水透孔とを備え且つ厚肉合成樹脂で一体成形してなることを特徴とする緑化路面用ベースプレート。
【請求項２】
上記ブロック嵌合部が，その内周壁にブロック側面に形成した凹凸面に応じた凹凸面を備えてなることを特徴とする請求項１に記載の緑化路面用ベースプレート。
【請求項３】
上記ブロック嵌合部が，その植栽部に隆起しブロック嵌合部の内周面を上方に延設するように配置したブロック外れ止め部を備えてなることを特徴とする請求項１又は２に記載の緑化路面用ベースプレート。
【請求項４】
上記厚肉合成樹脂を低発泡合成樹脂としてなることを特徴とする請求項１，２又は３に記載の緑化路面用ベースプレート。
【請求項５】
上記外側面の連結部を，隣接相互で上下方向に嵌合自在とし且つ該嵌合を遊嵌状とした嵌合連結部としてなることを特徴とする請求項１，２，３又は４に記載の緑化路面用ベースプレート。
【請求項６】
請求項１乃至５のいずれかの緑化路面用ベースプレートを用い，該緑化路面用ベースプレートを転圧平坦化した掘下げ地面に隣接相互に連結配置して該掘下げ地面を多数の緑化路面用ベースプレートによる下地面とするベースプレート設置工程と，該下地面の緑化路面用ベースプレートの各ブロック嵌合部にそれぞれブロックを嵌合配置してブロックを配列するブロック配列工程と，上記ブロックで溝区画された緑化路面用ベースプレートの植栽部に植栽土壌を充填配置する土壌供給工程と，該植栽部に芝を植栽配置する植栽工程とを備えてなることを特徴とする緑化路面形成方法。
【発明の詳細な説明】
【０００１】
【発明の属する技術分野】
本発明は，緑化駐車場，公共施設の緑化スペース等の緑化路面の形成に好適に使用し得る緑化路面用ベースプレート及びこれを用いた緑化路面形成方法に関する。
【０００２】
【従来の技術】
この種緑化路面として，例えば１０〜３０ｃｍの平板状のブロックを芝の植栽スペースを離隔した状態に多数配列するとともに該ブロックの成型時に配置した縦横の筋金によって一体に連結したブロック配列体を用い，該ブロック配列体のブロックコーナー部分にスペーサーを配置して地面に敷設し，植栽スペースに芝を植栽するように施工形成するものが知られている。
【０００３】
【特許文献１】
特開２００１−２８８７０２号（［０００６］乃至［００１６］，図１乃至図９）
【０００４】
【発明が解決しようとする課題】
この場合，緑化路面の形成を乾式によって行なうことが可能となるが，多数のブロックが一体に連結されているので重量が嵩み，工場や現場での施工性が低下し易いという問題点が残され，また緑化駐車場に用いた場合に車両荷重によってブロック面に不陸が発生し易いという問題点が残されている。即ちブロックのコーナーに配置されたスペーサーは比較的小面積のものであるためにブロック上の車両荷重負荷が繰り返されることにより，また幅寄せ等の車両荷重の負荷状態でタイヤが回転した際の荷重偏在により該スペーサーが沈降して支持高さが異なることによる不陸を招く可能性があり，またブロックを連結する筋金はブロック間においては地中に露出した状態に埋め込まれた状態であるから，車両過重の負荷が繰り返され，幅寄せ等のハンドル切替しによって荷重が偏在する車両のタイヤ部分に位置するブロックが浮上して筋金に曲げ等の変形が発生し，該変形により不陸が恒常的になる可能性があり，また地中に埋め込まれることによって腐食が発生すると，該腐食によりブロックの連結強度が損われたり，弱まったりして更に不陸の可能性が増大する。
【０００５】
本発明は係る事情に鑑みてなされたもので，その解決課題とするところは，緑化路面を施工性よく乾式によって形成し得るようにするとともに不陸発生の可能性を可及的に解消し，長期に安定した耐久性を確保し得るようにした緑化路面用ベースプレートを提供するにあり，また該ベースプレートを用いた緑化路面形成方法を提供するにある。
【０００６】
【課題を解決するための手段】
上記課題に添って本発明は，厚肉合成樹脂で一体成形したベースプレートを面方向に連結して掘下げ地面に一面に敷設し，各ベースプレートに形成された複数の比較的浅い凹陥部をなすブロック嵌合部にブロック下部を嵌合配置して，ベースプレートのブロック間に配置した植栽部に土壌を充填して芝の植栽を行なうことによって緑化路面を乾式形成し得るようにして，ベースプレートを厚肉合成樹脂製とすることによって人手移動や人手敷設を可能とし，これに重量の嵩むブロックを個別に配置することによって緑化路面の施工に熟練を必要とすることなく高い施工性を確保し，ベースプレートを掘下げ地面に敷設することによってこれが地表に露出することなく緑化路面の下地をなし，ブロックに対して負荷される荷重をベースプレートの面によって分散支持して，緑化駐車場等のどのような状態の車両荷重に対しても不陸が発生する可能性を可及的に解消し得るようにするとともに上記ブロック嵌合部及び植栽部の底面に排水透孔を配置することによって緑化路面の下地をなす一面のベースプレートを用いることにより生じる可能性のある雨水や散水の緑化路面上の滞留を可及的に解消し良好な排水性を確保し得るようにしたものであって，即ち請求項１に記載の発明を，外側面に配置した隣接相互に連結自在の連結部と，平面複数箇所を部分的に凹陥することによってブロック下部を嵌合受入自在としたブロック嵌合部と，該ブロック嵌合部を囲繞するようにブロック嵌合部間で幅Ｌとしブロック嵌合部の外側で幅１／２Ｌとした植栽部と，上記ブロック嵌合部及び植栽部の底面にそれぞれ配置した排水透孔とを備え且つ厚肉合成樹脂で一体成形してなることを特徴とする緑化路面用ベースプレートとしたものである。
【０００７】
請求項２及び３に記載の発明は，上記に加えて，下部を嵌合配置したブロックをベースプレートに確実且つ安定して嵌合保持し得るようにしてブロックの一部に荷重が掛ることがあっても該ブロックが浮上して該ブロックが外れるのを防止し，長期に亘る安定した嵌合保持をなし得るものとするように，請求項２に記載の発明を，上記ブロック嵌合部が，その内周壁にブロック側面に形成した凹凸面に応じた凹凸面を備えてなることを特徴とする請求項１に記載の緑化路面用ベースプレートとし，請求項３に記載の発明を，上記ブロック嵌合部が，その植栽部に隆起しブロック嵌合部の内周面を上方に延設するように配置したブロック外れ止め部を備えてなることを特徴とする請求項１又は２に記載の緑化路面用ベースプレートとしたものである。
【０００８】
請求項４に記載の発明は，同じく上記に加えて，上記厚肉合成樹脂のベースプレートによる荷重分散支持の機能を損うことなく充分な強度を保持しながら，その軽量化を図り，人手移動や人手敷設を更に容易化するように，これを，上記厚肉合成樹脂を低発泡合成樹脂としてなることを特徴とする請求項１，２又は３に記載の緑化路面用ベースプレートとしたものである。
【０００９】
請求項５に記載の発明は，同じく上記に加えて，一面に連結したベースプレートが合成樹脂製であることによってこれが受ける温度差による熱収縮を吸収して，ベースプレートが熱収縮によって波状に浮き上ったり，連結が外れたりする可能性を解消し得るように，これを，上記外側面の連結部を，隣接相互で上下方向に嵌合自在とし且つ該嵌合を遊嵌状とした嵌合連結部としてなることを特徴とする請求項１，２，３又は４に記載の緑化路面用ベースプレートとしたものである。
【００１０】
請求項６に記載の発明は，以上のベースプレートを使用した緑化路面を簡易且つ確実に施工し得るようにした緑化路面形成方法を提供するように，これを，請求項１乃至５のいずれかの緑化路面用ベースプレートを用い，該緑化路面用ベースプレートを転圧平坦化した掘下げ地面に隣接相互に連結配置して該掘下げ地面を多数の緑化路面用ベースプレートによる下地面とするベースプレート設置工程と，該下地面の緑化路面用ベースプレートの各ブロック嵌合部にそれぞれブロックを嵌合配置してブロックを配列するブロック配列工程と，上記ブロックで溝区画された緑化路面用ベースプレートの植栽部に植栽土壌を充填配置する土壌供給工程と，該植栽部に芝を植栽配置する植栽工程とを備えてなることを特徴とする緑化路面形成方法としたものである。
【００１１】
本発明はこれらをそれぞれ発明の要旨として上記課題解決の手段としたものである。
【００１２】
【発明の実施の形態】
以下図面の例に従って本発明を更に具体的に説明すれば，Ａは，ベースプレート１を用いて施工形成した，例えば駐車場の緑化路面を示す。
【００１３】
ベースプレート１は，外側面に配置した隣接相互に連結自在の連結部１１と，平面複数箇所を部分的に凹陥することによってブロック２下部を嵌合受入自在としたブロック嵌合部１２と，該ブロック嵌合部１２を囲繞するようにブロック嵌合部１２間で幅Ｌとしブロック嵌合部１２の外側で幅１／２Ｌとした植栽部１３と，上記ブロック嵌合部１２及び植栽部１３の底面にそれぞれ配置した排水透孔１４とを備え且つ厚肉合成樹脂で一体成形したものとしてある。
【００１４】
このとき本例の上記厚肉合成樹脂は，これを低発泡合成樹脂製としてあり，上記外側面の連結部１１は，これを，隣接相互で上下方向に嵌合自在とし且つ該嵌合を遊嵌状とした嵌合連結部とし，上記ブロック嵌合部１２が，その内周壁にブロック２側面に形成した凹凸面に応じた凹凸面を備え，また上記ブロック嵌合部１２が，その植栽部１３に隆起しブロック嵌合部１２の内周面を上方に延設するように配置したブロック外れ止め部１５を備えたものとしてある。
【００１５】
即ち本例にあって上記合成樹脂，特に低発泡合成樹脂としたベースプレート１は，回収された樹脂廃材を原料とし，これを駐車場として使用した際にも充分な圧縮強度を備えたものとしながらその軽量化を図るように，例えば１０％程度の発泡率の低発泡の成形を施すことによって一体成形した，例えば縦３０ｃｍ×横５０ｃｍ×高さ２ｃｍ程度の横長矩形にして厚肉のプレートをなすものとしてある。
【００１６】
ベースプレート１の各外側面には，本例にあって比較的大きな各一箇所の上記連結部１１を配置してその隣接相互の連結を可能とするようにしてあり，本例の嵌合連結部１１は，例えばベースプレート１の縦横の各外側面一方の中央位置に突出寸法を２〜３ｃｍ程度とする楔状突起１１１を突出配置し，外側面他方の中央位置に該楔状突起１１１と上下方向に嵌合自在とした楔状切欠１１２  を配置することによってこれを形成するようにしてあり，このとき本例の連結部１１は，楔状切欠１１２の寸法を楔状突起１１１の寸法より２〜３ｍｍ程度大きくなるようにすることによってこれらの嵌合を遊嵌状に行なうものとしてあり，これによってベースプレート１が受ける夏冬の温度差によって該ベースプレート１に生じる熱収縮を可及的に吸収し得るようにしてある。
【００１７】
ベースプレート１は，本例にあって平面に４つのブロック嵌合部１２を縦横に２段２列をなすように並列してベースプレート１の上面に対して凹陥するように配置してあり，また植栽部１３は，該ブロック嵌合部１２間で幅Ｌとすることによって十字状をなす植栽部１３１及びその外側，即ちベースプレート１の外周縁部側で幅１／２Ｌとすることによって上記連結時に隣接相互に幅Ｌをなす長方形の枠をなす植栽部１３２をベースプレート１の上面をなすように同高にして一連に連続することによって配置してあり，このとき上記ブロック嵌合部１２は，これを，ベースプレート１上面から１ｃｍ程度の掘り込み深さをなし，短辺をなす縦１０ｃｍ×長辺をなす横２０ｃｍ程度の面積をなすものとし，植栽部１３は，その上記幅Ｌを５ｃｍ程度，幅１／２Ｌを２．５ｃｍ程度としてある。
【００１８】
本例の上記ブロック嵌合部１２は，その内周壁にその１面毎に２箇所の湾曲凹部１２１を配置することによって上記ブロック２側面に形成した凹凸面に応じた凹凸面をなすものとし，後述のブロック２の嵌合保持を確実且つ安定してなし得るようにしてあり，このとき本例の凹凸面をなす上記湾曲凹部１２１はその対向する短辺及び長辺の内周壁間で相互に変位した位置に配置されるように対向する辺の内周壁毎に配置位置をずらしたものとしてある。
【００１９】
底面の排水透孔１４は，ブロック嵌合部１２においてその短手方向，即ちベースプレート１の縦方向に向けて長孔をなして複数並列するように，例えば長さ７ｃｍ，幅２ｃｍ程度とした各３つの透孔を，上記ブロック嵌合部１２間の十字状にして幅Ｌの植栽部１３１においてそれぞれその長手方向に長孔をなして複数直列するように，例えば長さ６〜７ｃｍ，幅２ｃｍ程度とした２乃至４つの透孔を，ブロック嵌合部１２の外側の幅１／２Ｌの植栽部１３２においてそれぞれ幅を１ｃｍ程度とした切欠凹部をなすように配置し，また幅Ｌの上記植栽部１３１の交点において幅太の十字状に配置したものとしてあり，このとき本例の排水透孔１４はベースプレート１をその厚さ方向に垂直に貫通する貫通孔乃至その１／２幅の切欠凹部によるものとしてある。
【００２０】
更に本例にあって上記植栽部１３に隆起配置したブロック外れ止め部１５は，これをブロック嵌合部１２における各辺の長手方向中間位置に上向きに隆起突出しブロック嵌合部１２の内周面を上方に延設するよう配置した部分的な立上げ突起によるものとしてあり，例えばブロック嵌合部１２  の対向する短辺には上記湾曲凹部１２１間で相互に変位した長手方向中間変位位置に，対向する長辺には同じく上記湾曲凹部１２１間にして長手方向中央位置にそれぞれ配置してあり，このときブロック外れ止め部１５は，例えば幅及び高さを２ｃｍ程度乃至それ以下のものとして，ブロック嵌合部１２に嵌合保持したブロック２をその凹凸面間の各側面で植栽部１３側から押えてその嵌合保持を更に確実且つ安定したものとするようにしてある。
【００２１】
このように形成したベースプレート１は，これを面方向に連結して掘下げ地面に一面に敷設し，各ベースプレート１に形成された複数の比較的浅い，本例にあって１ｃｍ程度の深さのブロック嵌合部１２にブロック２下部を嵌合配置して，ベースプレート１のブロック２間に配置した植栽部１３に植栽土壌４を充填して芝５の植栽を行なうことによって緑化路面Ａを乾式形成するように使用するものとしてあり，このとき本例のブロック２は，これをブロック嵌合部１２の面積に合せた縦１０ｃｍ×横２０ｃｍ程度の面積にして，ブロック嵌合部１２に１ｃｍ程度の下部を嵌合支持した状態で，植栽部１３の深さが芝５の植栽に必要且つ充分な土壌４を充填可能とする深さ，例えば５〜６ｃｍの深さとし得るように，その高さを，例えば６〜７ｃｍ程度のものとした窯業系レンガによるレンガブロックを用いるようにしてあり，このとき上記内周壁を凹凸面とした本例のベースプレート１にあっては，該ブロック２をベースプレート１専用のものとしてその外側面４面を，それぞれ１面毎に２箇所の湾曲凸部２１を備えた凹凸面をなすものを用いるものとしてある。
【００２２】
本例のベースプレート１による緑化路面Ａの施工形成を，その形成方法によって説明すれば，緑化路面用ベースプレート１を転圧平坦化した掘下げ地面３に隣接相互に連結配置して該掘下げ地面３を多数の緑化路面用ベースプレート１による下地面とするベースプレート設置工程と，該下地面の緑化路面用ベースプレート１の各ブロック嵌合部１２にそれぞれブロック２を嵌合配置してブロック２を配列するブロック配列工程と，上記ブロック２で溝区画された緑化路面用ベースプレート１の植栽部１３に植栽土壌４を充填配置する土壌供給工程と，該植栽部１３に芝５を植栽配置する植栽工程とを備えたものとしてある。
【００２３】
即ち本例のベースプレート１による緑化駐車場とした緑化路面Ａは，例えば地表から駐車場のスペースに応じた面積にして，例えば深さを２０ｃｍ程度とする掘起しを行って，その下部に砕石３１を１０ｃｍ程度の高さに敷詰めて転圧を施した後，砂止め用の防水シート３２を張設して該防水シート３２上に川砂乃至山砂３３を５ｃｍ程度敷詰めて同じく転圧を施して上記転圧平坦化した掘下げ地面３とし，ベースプレート敷設工程として，該掘下げ地面３上にレベル出しをしながらベースプレート１を水平に連結配置し，例えば掘下げ地面３の全面にこれを敷設配置することによって，水平且つ連続した状態のベースプレート１の下地面を形成するようにこれを行なうものとしてある。このときベースプレート１は，縦３０ｃｍ×横５０ｃｍ程度の面積のものとしてあるので掘下げ地面３の敷設方向後端部に配置するベースプレート１に掘下げ地面３の面積との残余が生じたときは，ベースプレート１が上記低発泡合成樹脂であることによって木材用の電動鋸乃至手動鋸により切断することが可能であるので，残余部分を切断除去するようにして，掘下げ地面３に敷設方向後端部を含めてベースプレート１が可及的全面に納まるように一面に連続するように敷設するものとしてある。
【００２４】
ブロック配列工程は，該水平且つ連続したベースプレート１を下地面としてその各ブロック嵌合部１２に上記ブロック２を順次並べるように嵌合配置することによって，その全面に多数段多数列をなすようにブロック２を整然と配列するようにこれを行なうようにしてある。このときブロック２に形成された湾曲凸部２１がブロック嵌合部１２内周壁の湾曲凹部１２１に嵌まり込むように係合するとともにブロック外れ止め部１５がブロック２の側面に係合するようにその嵌合配置を行なうものとしてある。
【００２５】
土壌供給工程は，嵌合配置して配列されたことによって隣接するベースプレート１のブロック嵌合部１２のブロック２間を含めて一般に一連に連続するブロック２間の植栽部１３に，例えば川砂乃至山砂と土壌改良剤を混合した植栽土壌４を充填配置するようにこれを行うものとしてある。
【００２６】
植栽工程は，該充填配置した植栽土壌４に，例えば植栽部１３の幅に合せて切断した高麗芝等適宜野の芝５を載置してその植栽を行い，必要に応じ固形肥料を蒔き散水を施すようにすればよい。なお夏場は散水の蒸発を防止するように所定の蒸散防止剤を散布することが好ましい。
【００２７】
このように施工形成することによって，施工性がよく乾式によって，ヒートアイランドが解消され，外観が良好で，不陸の可能性を可及的に解消し，長期に安定した耐久性を確保し得る，本例において駐車場とした緑化路面Ａを提供することができる。
【００２８】
そして本例のベースプレート１は，これを厚肉合成樹脂製とすることによって人手移動や人手敷設を可能とし，これに重量の嵩むブロック２を個別に配置することによって緑化路面の施工に熟練を必要とすることなく高い施工性を確保し，ベースプレート１を掘下げ地面３に敷設することによってこれが地表に露出することなく緑化路面Ａの下地をなし，ブロック２に対して負荷される荷重をベースプレート１の面によって分散支持して，緑化駐車場等のどのような状態の車両荷重に対しても不陸が発生する可能性を可及的に解消し得るようにするとともに上記ブロック嵌合部１２及び植栽部１３の底面に排水透孔１４を配置することによって緑化路面Ａの下地をなす一面のベースプレート１を用いることにより生じる可能性のある雨水や散水の緑化路面Ａ上の滞留を可及的に解消し良好な排水性を確保したものとすることができる。またブロック嵌合部１２の内周壁にブロック２側面に形成した凹凸面に応じた凹凸面を備え，或いはブロック嵌合部１２が，その植栽部１３の端部に隆起配置したブロック外れ止め部１５を備えたことによって，下部を嵌合配置したブロック２をベースプレート１に確実且つ安定して嵌合保持し得るようにしてブロック２の一部に荷重が掛ることがあっても該ブロック２が浮上して該ブロック２が外れるのを防止し，長期に亘る安定した嵌合保持をなし得るものとすることができ，上記厚肉合成樹脂を低発泡合成樹脂としたことによって，ベースプレート１による荷重分散支持の機能を損うことなく充分な強度を保持しながら，その軽量化を図り，人手移動や人手敷設を更に容易化することができ，更に外側面の連結部１１を，隣接相互で上下方向に嵌合自在とし且つ該嵌合を遊嵌状とした嵌合連結部としたことによって，一面に連結したベースプレート１が合成樹脂製であることによってこれが受ける温度差による熱収縮を吸収して，ベースプレート１が熱収縮によって波状に浮き上ったり，連結が外れたりする可能性を解消することができる。
【００２９】
図示した例は以上のとおりとしたが，ベースプレートの外側面配置の連結部は，これを多数の突起と該突起と嵌合，例えば遊嵌状に嵌合する切欠によるものとすること，ブロック嵌合部をベースプレートに千鳥状配列等適宜の形態に配置すること，ブロック嵌合部の内周面に凹凸面を配置するときこれを単一乃至複数の凸部によるものとし，ブロックにこれに係合する単一乃至複数の凹部を形成するようにすること，外れ止めを配置するとき，これをブロック嵌合部の，例えば全ての又は対向する辺の長手方向に一連乃至断続的な立上げリブによるものとすること等を含めて，本発明の実施に当って，ベースプレート，その連結部，ブロック嵌合部，植栽部，排水透孔，ブロック，必要に応じて使用するブロック嵌合部の凹凸面，ブロック外れ止め，低発泡合成樹脂，嵌合連結部等の各具体的形状，構造，材質，寸法，数，用途，これらの関係，これらに対する付加，該ベースプレートを用いた緑化路面形成の方法，そのベースプレート設置工程，ブロック配置工程，土壌供給工程，植栽工程等の各具体的方法等は，上記発明の要旨に反しない限り様々な形態のものとすることができる。
【００３０】
【発明の効果】
本発明は以上のとおりに構成したから，請求項１に記載の発明は，厚肉合成樹脂で一体成形したベースプレートを面方向に連結して掘下げ地面に一面に敷設し，各ベースプレートに形成された複数の比較的浅い凹陥部をなすブロック嵌合部にブロック下部を嵌合配置して，ベースプレートのブロック間に配置した植栽部に土壌を充填して芝の植栽を行なうことによって緑化路面を乾式形成し得るようにして，ベースプレートを厚肉合成樹脂製とすることによって人手移動や人手敷設を可能とし，これに重量の嵩むブロックを個別に配置することによって緑化路面の施工に熟練を必要とすることなく高い施工性を確保し，ベースプレートを掘下げ地面に敷設することによってこれが地表に露出することなく緑化路面の下地をなし，ブロックに対して負荷される荷重をベースプレートの面によって分散支持して，緑化駐車場等のどのような状態の車両荷重に対しても不陸が発生する可能性を可及的に解消し得るようにするとともに上記ブロック嵌合部及び植栽部の底面に排水透孔を配置することによって緑化路面の下地をなす一面のベースプレートを用いることにより生じる可能性のある雨水や散水の緑化路面上の滞留を可及的に解消し良好な排水性を確保し得るようにし，これによって緑化路面を施工性よく乾式によって形成し得るようにするとともに不陸発生の可能性を可及的に解消し，長期に安定した耐久性を確保し得るようにした緑化路面用ベースプレートを提供することができる。
【００３１】
請求項２及び３に記載の発明は，上記に加えて，下部を嵌合配置したブロックをベースプレートに確実且つ安定して嵌合保持し得るようにしてブロックの一部に荷重が掛ることがあっても該ブロックが浮上して該ブロックが外れるのを防止し，長期に亘る安定した嵌合保持をなし得るものとすることができる。
【００３２】
請求項４に記載の発明は，同じく上記に加えて，上記厚肉合成樹脂のベースプレートによる荷重分散支持の機能を損うことなく充分な強度を保持しながら，その軽量化を図り，人手移動や人手敷設を更に容易化することができる。
【００３３】
請求項５に記載の発明は，同じく上記に加えて，一面に連結したベースプレートが合成樹脂製であることによってこれが受ける温度差による熱収縮を吸収して，ベースプレートが波状に浮き上ったり，連結が外れたりする可能性を解消することができる。
【００３４】
請求項６に記載の発明は，以上のベースプレートを使用した緑化路面を簡易且つ確実に施工し得るようにした緑化路面形成方法を提供することができる。
【図面の簡単な説明】
【図１】ベースプレートの平面図である。
【図２】ベースプレートの側面図である。
【図３】ベースプレートとブロックの関係を示す斜視図である。
【図４】緑化路面のモデルを示す縦断面図である。
【図５】緑化路面の部分斜視図である。
【符号の説明】
Ａ  緑化路面
１  ベースプレート
１１  連結部
１２  ブロック嵌合部
１３  植栽部
１４  排水透孔
１５  ブロック外れ止め
２  ブロック
４  植栽土壌
５  芝
【図１】
2004293175.tif 000003
【図２】
2004293175.tif 000004
【図３】
2004293175.tif 000005
【図４】
2004293175.tif 000006
【図５】
2004293175.tif 000007